(57)【特許請求の範囲】
【請求項１】
つぼめた傘の軸に向けて外側から環状にガス噴射口を配置し、該ガス噴射口には加圧気体供給源が接続されるものであって、前記環状空間に挿入された濡れ傘がスライドする過程で前記ガス噴射口から加圧気体を噴出させ、濡れ傘を一方より順次絞り込んで水分を絞り出す濡れ傘脱水装置において、前記ガス噴射口は、前記環状空間の求心方向に付勢された摺動ガイド部材に配設された、ガス噴射ノズルの先端部となっており、前記摺動ガイド部材とガス噴射ノズルが連動することによって、濡れ傘と前記噴射ノズルとの距離を所定に保つことを特徴とする濡れ傘脱水装置。
【請求項２】
傘の挿入を検知する手段を有し、該傘が引き抜き状態にある期間気体の噴射を実行させるようにしたことを特徴とする請求項１に記載の濡れ傘脱水装置。
【請求項３】
傘の挿入を検知する手段が摺動ガイド部材のローラに応動するスイッチであって、該ガイドローラの回転方向を検知してＯＮ状態となるものである請求項２に記載の濡れ傘脱水装置。
【請求項４】
傘の挿入を検知する手段がガス噴射口が配設された環状空間の近傍に設置された変位応動スイッチであって、濡れ傘が引く抜き方向に変位するときにＯＮ状態となるものである請求項２に記載の濡れ傘脱水装置。
【請求項５】
傘の挿入を検知する手段が挿入された傘の先端位置に設置された応動スイッチであって、該応動スイッチは傘の石突きの存在を検知してＯＮ状態となるものである請求項２に記載の濡れ傘脱水装置。
【発明の詳細な説明】
【０００１】
【発明の属する技術分野】
本発明は濡れ傘を数秒で脱水する装置に関し、特に店舗、駅あるいは各種施設といった大勢の人が出入りする場所の入り口に設置して場内の水濡れ防止に有効な濡れ傘脱水装置に関する。
【０００２】
【従来の技術】
雨の日に傘を使って外から来た人が室内に入ると、濡れた傘から雨の雫が落ち、床を濡らしてしまう。人の出入りの多い店舗のような場所では水浸しになり、体裁が悪いだけでなく転倒して怪我人を出すこともある。そこで、よくポリエチレンやビニール等の袋が用意されているが、これは使い捨てであることが多く、省資源、使用後のごみ処理など環境破壊の観点からも好ましいものではない。従来から、この点を鑑みて濡れ傘にガスを吹き付けて水分を飛ばしてしまうもの、バキュームで吸引するもの、ブラシにより水分をふき取るもの、温風により乾燥させるもの、振動や遠心力によって脱水を行うもの等種々の方式の脱水装置が案出されているが、いずれのものも脱水機能が十分でなかったり、脱水に時間がかかってしまうなど実用上満足できるものは少なかった。ちなみに濡れ傘の水分をガス噴射によって除去する方式のものとして、特開昭７−１９０６１５号公報や実公平７−２０５４１号公報等が提案され公知となっている。前者のものはガイドの両側面に複数の風の噴出し口を形成したノズルパイプを上下方向に複数段設けておき、複数の噴出し口から間欠的に風を噴出させ、傘に付着した水滴を吹き飛ばしたり、傘に衝撃を与えて水滴を振り落とすものである。これは従来の単純に風で水滴を吹き飛ばすものに比し、間欠噴出しにより強い風を送れるだけでなく振動による振り落とす作用が加わっている点で進歩性を有するものの、この方式は水滴状態にある水を除去するだけで布に沁みこんだ水分を除去することはできない。また、ノズル位置により位相をずらせた間欠噴出しのため機構が複雑になるという短所もあった。後者のものは水切り空間をあけて床面上に配置された左右一対の壁体の対向面にガス噴射用のノズルを多数分布配置し、該水切り空間部に傘をいれ、歩いて移動する過程で傘についた水滴をノズルから噴出すガスによって吹き飛ばして除去するものである。この発明は立ち止まらず歩きながら傘の脱水ができることを狙ったもので、脱水方式は従来のガス噴射方式のものと特に差は無く、水滴の除去に限られ、布に沁みこんだ水分の脱水は難しいものであった。
【０００３】
【発明が解決しようとする課題】
本発明はこれら従来技術のもつ問題点を解決し、脱水機能に優れ、短時間で必要な脱水が行える新規なガス噴射方式の濡れ傘脱水装置を提供することである。
【０００４】
【課題を解決するための手段】
本発明の濡れ傘脱水装置は、つぼめた傘の軸に向けて外側から環状にガス噴射口を配置し、該ガス噴射口には加圧気体供給源が接続されるものであって、前記環状空間に挿入された濡れ傘がスライドする過程で前記ガス噴射口から加圧気体を噴出させ、濡れ傘を一方より順次絞り込んで水分を絞り出す濡れ傘脱水装置において、前記ガス噴射口は、前記環状空間の求心方向に付勢された摺動ガイド部材に配設された、ガス噴射ノズルの先端部となっており、前記摺動ガイド部材とガス噴射ノズルが連動することによって、濡れ傘と前記噴射ノズルとの距離を所定に保つようにした。
【０００５】
【発明の実施の形態】
本発明の発想の原点は従来のガス噴出方式の水滴を飛ばすだけで布に沁みこんだ水分までは除去できなかった問題点に鑑み、従来より濡れ布の脱水法としては最も一般的な手絞りを念頭に濡れ傘を囲むように環状に配置されたガス噴射口からの噴射ガスにより軸芯方向に加圧して水分を絞り出す方式を開発した。本発明の濡れ傘脱水装置は、水滴を吹き飛ばすだけでなく布に沁みこんだ水分をも絞り出すものであるので、ガス噴射による濡れ傘の締め付けは適度に強いものである必要がある。そこで本発明では傘に適度の強さの加圧力が加わるようにガス噴射口をスリット状に形成し軸に垂直な平面状ガスジェットの層を形成することの外該ガス噴射口の配置また加圧供給源の選択にも工夫が施されている。
【０００６】
本発明の濡れ傘脱水装置は、つぼめた傘の軸に向けて外側から環状にガス噴射口を配置し、該ガス噴射口には加圧気体供給源が接続されるような基本構成を備えるものであって、雨に濡れた傘が上記の環状空間内に差込まれると、何らかの手段で加圧ポンプ等の加圧ガス供給源が作動して加圧ガスがガス噴射口に供給噴射される。ガス噴射口は傘を外側から軸芯に向けて環状に配置されると共にその開口部形状はスリット状に狭く絞られているので、噴射ガスは環状空間に平面状ガスジェットの層を形成し、その加圧力は分散されること無く濡れ傘に作用して適度に強力な押圧力を濡れ傘にかけることができる。傘はこの状態の環状空間に挿し込まれまたは引き抜かれるので、傘はガスジェットの噴射を受けた部分が局部的に押圧力を受けることになり、傘の移動に伴ってしごかれるように水分が絞り出される。図１はその動作イメージを模式的に示したものである。絞られた水は水受けタンクに溜められるなり、排水管で適宜排水するようにすればよい。水が絞られた後は加圧ポンプの作動を停止する等ガス噴射を停止するのであるが、この動作は傘の挿し込み・抜き取りに連動してスイッチがＯＮ／ＯＦＦするようにするのが好ましい。
【０００７】
【実施例１】
図２、図３にこの発明の１実施例を示す。図３のＡはこの実施例の主要部を部分的に図示したもの、Ｂはこの実施例の全体構成を断面図で示したもの、そしてＣは主要部の断面で脱水作用を模式的に示したものである。１はほぼ円筒状または多角柱形状をなしたハウジングで上面に傘を挿入する環状の開口部11があり、該環状開口部11の縁から複数の摺動部材２が保持部材４を介してスプリング５による求心方向の付勢力を受けつつ摺動自在に取り付けられている。この摺動部材２には求心方向に開口部を有するフラットノズル３が固着されガス噴射口を構成し、前記摺動部材２と一体となって求心方向に摺動するようになっている。この例ではフラットノズル３を摺動部材２の下方に取付けたものを示しているが、上方に取付けてもよいことは当然である。前記摺動部材２の先端にはガイドローラ21が取り付けられていてつぼめられた濡れ傘がこの環状空間に挿入されると、該ガイドローラ21が傘に当接し摺動部材２は傘の太さに追随して放射方向に変位する。すると前記フラットノズル３もこれに連動して放射方向に変位することになるが、フラットノズル３は摺動部材２上に固着されているので傘とこのフラットノズル３の開口部との距離は傘の位置にかかわらず常に一定の関係を保って摺動することになる。すなわちこの構成は、ガス噴射によって傘に及ぼす押圧力が適当な強さとなるようにガス供給源のガス圧を加味した上で所望の距離設定が適宜できるようにすると共に、傘の位置にかかわらずその押圧力が一定の値でかかるようにしたものである。また、この例では細くなった傘の先端部分にも摺動部材２が互いに障害とならず追随できるように千鳥状に段違いに設けるようにしてある。
【０００８】
図３のＣに示されるように、外側から傘の外周に吹き付けられたガスジェットにより、傘に付着した水滴は周りに吹き飛ばされると共に傘はその部分でくびれたように絞られる。傘が上方に引き抜かれる過程でこのくびれ部分は傘の先の方へと変位し、傘は順次下方へ絞られ絞り出された水滴は下方へ流下する。ハウジング１は断面ロート状に空間が形成されており、吹き飛ばされた水滴も絞り出された水滴もそのロート面をつたって合流されて排水管を経て外部に排水される。なお、この排水はハウジング１の底部に形成した水受タンクに溜めるようにしてもよい。さて、このガス噴射動作であるが、本発明は傘の移動過程で水分を絞り出すものであるので、ガス噴射のタイミングが重要である。原理的には常時噴射させておいてもよいのであるが、エネルギーの無駄使いになるので実用的でない。動作的には挿入した傘の引き抜き期間に噴射し脱水するようにするのが、絞り出された水が下方に流下することを考えると最も合理的である。そこでこの実施例ではハウジングの底部に傘の先端の石突きが接触するのを検知するスイッチを設置し、その信号を受けて噴射動作を開始させ、所定時間後タイマーで動作を停止する方式を採用した。スイッチの先端には石突き受けが設けてありここに濡れ傘の石突きが当接押圧するとスイッチがＯＮして、ノズル３からガス噴射が開始され、ゆっくりと傘が引き上げられて行く過程で絞り脱水が施される。そして引き抜き時間に見合った時間経過の後タイマーがスイッチをＯＦＦさせるものである。
【０００９】
図２に示したものは傘の挿し込み・引き抜き動作とガス噴射のタイミングとをとるための応動スイッチの他の実施形態を示したもので、Ａに図示したものは板ばね接点を有するスイッチを摺動部材２に取付けたものである。濡れ傘が環状空間に挿し込まれるとスイッチの板ばね先端に傘が接触しこれを下方に押し下げ、フリーの状態では上下接点のいずれとも接触していない板ばねの接点を下方の接点と接触させる。この状態は挿し込み動作中続き、傘が引き抜き動作に入るとスイッチの板ばね先端は傘の移動に追随し上方へ引き上げられる。この時点でスイッチの板ばねは上部の接点と接触させられスイッチが切り換えられる。傘挿入時の下方接点との閉成で準備動作(例えば、加圧ポンプが作動し加圧室を適正圧力に予圧する)を開始し、引き抜き時の上方接点との閉成でガス噴射を開始させる。傘が引き抜かれてしまうと板ばねはフリーに状態に戻り上下いずれの接点とも接触しない初期状態に戻るのでこれをもって噴射を停止する。Ｂに図示したものは摺動部材２のガイドローラ21の回転方向によって切り替わるスイッチを用いた例である。濡れ傘が環状空間に挿し込まれると傘に当接したガイドローラ21は傘との当接によってスプリング５の付勢に抗し放射方向へ部材２全体が摺動させられると共に、傘の下方への挿入動作に伴いローラ21自体は傘面を転がるように回転させられる。傘の移動に伴うこのガイドローラ21の回転は挿し込み時と引き抜き時とでは反対方向となるため、この回転方向に基づいて挿入時の準備開始信号とガス噴射開始信号を取り出すものである。傘が抜き取られるとガイドローラ21の回転は止まるのでその時点でガス噴射を停止する。
【００１０】
［参考例］
図４に示すものはガスジェットの層を形成する環状空間を上下方向に複数分離して配置した異なる実施例である。Ａはハウジングを除いた構成図，Ｂは主要部の一部破断斜視図である。この実施例では濡れ傘を挿入することができる環状のチャンバー６を上下方向に複数配置する。環状の内面には周方向に延びたスリット状の開口61が全周に亘り設けられている。複数のチャンバー６の環状空間はつぼめられた傘の形状に合わせ傘を差し込む側の方が大きくなっている。各チャンバー６は加圧ガス供給源７に配管を介して接続されており、加圧ガスが供給されるようになっている。チャンバー６に加圧ガスが供給されると前記スリットから傘に軸芯方向に向けてガスジェットが噴出されるものである。この実施例も濡れ傘の挿入引き抜きにタイミングを合わせガスを噴射させて、濡れ傘についた水滴を吹き飛ばし、張布に沁みこんだ水分をガスジェット層で軸芯方向に押圧力を加えて絞り込み引き抜き動作によってしごきをかけるようにして絞り脱水するものである点で先の例と差異はない。ただ、この実施例ではガス噴射口となる開口61が環状チャンバー６の内面に設けられているという単純構造と採っているので、傘と該噴射口61との距離は部位により太さの異なる傘の移動に伴って変化してしまい、傘への押圧力を所望の強さに保つことができないものである。特に、石突きに近い傘の先端部分は細いので、柄に近い太い部分を挿入できる環状空間の内面からのガス噴射では押圧力も弱くなり、全周に均一な力をかけることも難しく所望の脱水効果を得ることができない。そこで、この実施例は環状空間を複数段に分離し、先端の細い部分は下層の狭い環状空間のガスジェット噴射で絞るようにしたものである。このようにして、各部分毎に適度の押圧力をかけ所望の脱水効果を得ることができるよう構成した。しかし、部分的には噴射口と傘面との距離が離れてしまうところがでるので先の例に比し強力な加圧供給源を用いることが設計上必要となる。なお、複数の環状空間は必ずしも水平面である必要はなく、傘の挿入引出しがし易いように傾斜して設けてもよい。また、環状に配設されたこのスリット状開口61は内筒面に同レベル位置に設けないで千鳥状に段違いに設けるようにしてもよい。これは隣接するスリット間にはガスの噴射しない部分が生じるのでそれを補い傘の全周囲に必要な押圧力を与える設計である。
【００１１】
【発明の効果】
本発明の濡れ傘脱水装置は、つぼめられた濡れ傘がこの環状空間に挿入されると、ガイドローラが傘に当接し摺動部材は傘の太さに追随して放射方向に変位する。すると前記フラットノズルもこれに連動して放射方向に変位することになるが、フラットノズルは摺動部材上に固着されているので傘とこのフラットノズルの開口部との距離は傘の位置にかかわらず常に一定の関係を保って摺動することになる。
また、本発明は、つぼめた状態で濡れ傘の水分を脱水できるものであるから広げた状態で脱水するものに比べ装置を小型化できるだけでなく、濡れ傘の挿入引き抜きにタイミングを合わせガスを噴射させて、濡れ傘についた水滴を吹き飛ばし、軸芯方向にガスジェット層を形成させその押圧力で張布に沁みこんだ水分を絞り込み引き抜き動作によってしごきをかけるようにして絞り脱水するものであるから、本発明のものは濡れ傘についた水滴を吹き飛ばすだけの従来のガス噴射方式の脱水に比し、布に沁みこんだ水分をも除去できるなど格段に脱水効果が高いものとなった。
【００１２】
本発明は傘に対しガスジェット噴射による適度の強さの押圧力を要するものであるが、ガス噴射口の形状をスリット状に狭くすることでガスジェットの層を形成させ強い噴射力を得、傘を環状に囲うようにすることで傘の外周に均一の力が加わるように達成できた。さらに、傘と噴射口との距離が遠くならないように摺動機構や複数段にすることで所望押圧力の確保が達成されている。また、本発明は単純な各種応動スイッチを用いて傘の挿入を検知することで、該傘が引き抜き状態にある期間気体の噴射を自動的に実行させることができたものであるから、その使い勝手もよいものである。
【図面の簡単な説明】
【図１】本発明の動作イメージを模式的に示した図。
【図２】Ａ，Ｂ共に本発明に使用する応動スイッチの例を示す図である。
【図３】本発明の１実施例を示す図で、Ａは本実施例の主要部を斜視図で示した図、Ｂはその全体構成を断面図で示した図、Ｃは主要部の断面図で脱水作用を模式的に示した図である。
【図４】本発明の異なる実施例を示す図で、Ａはハウジングを除いた構成図,Ｂは主要部の一部破断斜視図である。
【符号の説明】
１  ハウジング                 ４  保持部材
11  開口部                   ５  スプリング
２  摺動部材                   ６  チャンバー
21  ガイドローラ                61  スリット状開口
３  フラットノズル             ７  加圧ガス供給源
【図１】
0004037982.tif 000002
【図２】
0004037982.tif 000003
【図３】
0004037982.tif 000004
【図４】
0004037982.tif 000005